【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
無線多重アクセスの複数入力複数出力（ＭＩＭＯ）通信システムにおけるデータを送信する方法であって、以下を具備する方法：
データ送信のために少なくとも２つのユーザ端末を選択すること；
前記少なくとも２つのユーザ端末に使用するために、システムによってサポートされた、そのうちの１つはステアード空間多重化モードである複数の空間多重化モードのなかから１つのステアード空間多重化モードを選択すること；
前記少なくとも２つのユーザ端末のために、複数の空間チャネルを介して送信されることになっている複数のデータストリームに対するレートを選択すること；そして
選択されたレート及び選択された空間多重化モードでのデータ送信に対して前記少なくとも２つのユーザ端末をスケジュールすること。
【請求項２】
１つのユーザ端末がデータ送信のために選択され、選択された空間多重化モードはステアード空間多重化モードである請求項１記載の方法。
【請求項３】
１つのユーザ端末へ直交する空間チャネルで複数のデータストリームを送信するために複数のステアリングベクトルを有する複数のデータストリームを空間的に処理することをさらに具備する請求項２記載の方法。
【請求項４】
１つのユーザ端末がデータ送信のために選択され、選択された空間多重化モードは非ステアード空間多重化モードである請求項１記載の方法。
【請求項５】
複数のアンテナから１つのユーザ端末への送信のために複数のデータストリームを提供することをさらに具備する請求項４記載の方法。
【請求項６】
前記少なくとも２つのユーザ端末へ複数のデータストリームをステアするために複数のステアリングベクトルを有する複数のデータストリームを空間的に処理することをさらに具備する請求項１記載の方法。
【請求項７】
複数のユーザ端末によって送信された複数のデータストリームの推定値を得るために、複数の受信されたシンボルストリームに受信機空間処理を実行することであって、各データストリームはデータストリームをステアするためにそれぞれのステアリングベクトルで処理される受信機空間処理を実行することをさらに具備する請求項１記載の方法。
【請求項８】
複数のユーザ端末がデータ送信のために選択され、選択された空間多重化モードは非ステアード空間多重化モードである請求項１記載の方法。
【請求項９】
複数のユーザ端末によって送信された複数のデータストリームの推定値を得るために、複数の受信されたシンボルストリームに受信機空間処理を実行することをさらに具備する請求項８記載の方法。
【請求項１０】
複数のアンテナからそれぞれが複数のアンテナを有する複数のユーザ端末への送信に対して複数のデータストリームを提供することをさらに具備する請求項８記載の方法。
【請求項１１】
ＭＩＭＯシステムは時分割二重化（ＴＤＤ）システムである請求項１記載の方法。
【請求項１２】
少なくとも１つのユーザ端末が調整されて、下りリンクのチャネル応答は上りリンクのチャネル応答と相反であるならば、選択された空間多重化モードはステアード空間多重化モードである請求項１１記載の方法。
【請求項１３】
少なくとも１つのユーザ端末が調整されていないで、下りリンクのチャネル応答は上りリンクのチャネル応答と相反ではないならば、選択された空間多重化モードは非ステアード空間多重化モードである請求項１１記載の方法。
【請求項１４】
複数のレートを選択することは、
複数の空間チャネルの信号対雑音及び干渉比（ＳＮＲ）を推定することと、そして
複数の空間チャネルの推定されたＳＮＲに基づいてレートを選択することとを含む請求項１記載の方法。
【請求項１５】
無線多重アクセスの複数入力複数出力（ＭＩＭＯ）通信システムにおける装置であって、以下を具備する装置：
データ送信のために少なくとも２つのユーザ端末を選択するように動作する端末選択器；
前記少なくとも２つのユーザ端末に使用するために、システムによってサポートされた、そのうちの１つはステアード空間多重化モードである複数の空間多重化モードのなかからステアード空間多重化モードを選択するように動作するモード選択器；
前記少なくとも２つのユーザ端末のために、ＭＩＭＯチャネルの複数の空間チャネルを介して送信されることになっている複数のデータストリームに対するレートを選択するように動作するレート選択器；そして
選択されたレート及び選択された空間多重化モードでのデータ送信に対して前記少なくとも２つのユーザ端末をスケジュールするように動作するスケジューラ。
【請求項１６】
複数のアンテナから前記少なくとも２つのユーザ端末への送信に対して複数の送信シンボルストリームを得るために、選択された空間多重化モードに従って複数のデータストリームを空間的に処理するように動作する送信空間プロセッサをさらに具備する請求項１５記載の装置。
【請求項１７】
前記少なくとも２つのユーザ端末によって送信された複数のデータストリームの推定値を得るために、選択された空間多重化モードに従って複数の受信されたシンボルストリームを空間的に処理するように動作する受信空間プロセッサをさらに具備する請求項１５記載の装置。
【請求項１８】
無線多重アクセスの複数入力複数出力（ＭＩＭＯ）通信システムにおける装置であって、以下を具備する装置：
データ送信のために少なくとも２つのユーザ端末を選択するための手段；
前記少なくとも２つのユーザ端末に使用するために、システムによってサポートされた、そのうちの１つはステアード空間多重化モードである複数の空間多重化モードのなかからステアード空間多重化モードを選択するための手段；
前記少なくとも２つのユーザ端末のために、ＭＩＭＯチャネルの複数の空間チャネルを介して送信されることになっている複数のデータストリームに対するレートを選択するための手段；そして
複数の選択されたレート及び選択された空間多重化モードでのデータ送信に対して前記少なくとも２つのユーザ端末をスケジュールするための手段。
【請求項１９】
複数のアンテナから前記少なくとも１つのユーザ端末への送信に対して複数の送信シンボルストリームを得るために、選択された空間多重化モードに従って複数のデータストリームを空間的に処理するための手段をさらに具備する請求項１８記載の装置。
【請求項２０】
前記少なくとも１つのユーザ端末によって送信された複数のデータストリームの推定値を得るために、選択された空間多重化モードに従って複数の受信されたシンボルストリームを空間的に処理するための手段をさらに具備する請求項１８記載の装置。
【請求項２１】
無線の複数入力複数出力（ＭＩＭＯ）通信システムにおけるデータを受信する方法であって、以下を具備する方法：
第１の複数の復元されたデータシンボルストリームを得るために第１の空間多重化モードに従って第１の複数の受信されたシンボルストリームに受信機空間処理を実行すること；
第１の複数の復号されたデータストリームを得るために第１の複数のレートに従って第１の複数の復元されたデータシンボルストリームを復調及び復号すること；
第２の複数の復元されたデータシンボルストリームを得るために第２の空間多重化モードに従って第２の複数の受信されたシンボルストリームに受信機空間処理を実行すること；そして
第２の複数の復号されたデータストリームを得るために第２の複数のレートに従って第２の複数の復元されたデータシンボルストリームを復調及び復号すること。
【請求項２２】
第１の空間多重化モードはステアード空間多重化モードであり、ユーザ端末のためにＭＩＭＯチャネルの複数の空間チャネルに対する複数の固有ベクトルで第１の複数の受信されたシンボルストリームが空間的に処理される請求項２１記載の方法。
【請求項２３】
第２の空間多重化モードは非ステアード空間多重化モードである請求項２１記載の方法。
【請求項２４】
第２の複数の復号されたデータストリームは、単一のユーザ端末によって送信された複数のデータストリームの推定値である請求項２３記載の方法。
【請求項２５】
第２の複数の復号されたデータストリームは、複数のユーザ端末によって同時に送信された複数のデータストリームの推定値である請求項２３記載の方法。
【請求項２６】
第２の複数の受信されたシンボルストリームは、チャネル相関行列反転（ＣＣＭＩ）技術に基づいて空間的に処理される請求項２３記載の方法。
【請求項２７】
第２の複数の受信されたシンボルストリームは、最小平均二乗誤差（ＭＭＳＥ）技術に基づいて空間的に処理される請求項２３記載の方法。
【請求項２８】
第２の複数の受信されたシンボルストリームは、連続干渉除去（ＳＩＣ）技術に基づいて空間的に処理される請求項２３記載の方法。
【請求項２９】
無線の複数入力複数出力（ＭＩＭＯ）通信システムにおける装置であって、以下を具備する装置：
第１の複数の復元されたデータシンボルストリームを得るために第１の空間多重化モードに従って第１の複数の受信されたシンボルストリームに受信機空間処理を実行するように動作し、
第２の複数の復元されたデータシンボルストリームを得るために第２の空間多重化モードに従って第２の複数の受信されたシンボルストリームに受信機空間処理を実行するように動作する受信空間プロセッサ；そして
第１の複数の復号されたデータストリームを得るために第１の複数のレートに従って第１の複数の復元されたデータシンボルストリームを復調及び復号するように動作し、
第２の複数の復号されたデータストリームを得るために第２の複数のレートに従って第２の複数の復元されたデータシンボルストリームを復調及び復号するように動作する受信データプロセッサ。
【請求項３０】
無線の複数入力複数出力（ＭＩＭＯ）通信システムにおけるデータを送信する方法であって、以下を具備する方法：
データ送信に使用する空間多重化モード及び複数のレートを示している情報を受信することであって、空間多重化モードはシステムによってサポートされる複数の空間多重化モードのなかから選択され、複数のレートのそれぞれはシステムによってサポートされるレートのセットのなかから選択される受信すること；
複数のデータシンボルストリームを得るために複数のレートに従って複数のデータストリームを符号化及び変調すること；そして
複数のアンテナからの送信に対して複数の送信シンボルストリームを得るために空間多重化モードに従って複数のデータシンボルストリームを空間的に処理すること。
【請求項３１】
空間多重化モードはステアード空間多重化モードであり、ＭＩＭＯチャネルの複数の直交する空間チャネルで複数のデータシンボルストリームを送信するために複数のステアリングベクトルで複数のデータシンボルストリームが空間的に処理される請求項３０記載の方法。
【請求項３２】
複数の直交する空間チャネルのそれぞれでステアードパイロットを送信することをさらに具備する請求項３１記載の方法。
【請求項３３】
空間多重化モードは非ステアード空間多重化モードであり、複数のデータシンボルストリームは複数の送信シンボルストリームとして提供される請求項３０記載の方法。
【請求項３４】
上りリンクのチャネル応答が下りリンクのチャネル応答に相反となるように調整を実行することをさらに具備する請求項３０記載の方法。
【請求項３５】
無線の複数入力複数出力（ＭＩＭＯ）通信システムにおける装置であって、以下を具備する装置：
データ送信に使用する空間多重化モード及び複数のレートを示している情報を受信するように動作するコントローラであって、空間多重化モードはシステムによってサポートされる複数の空間多重化モードのなかから選択され、複数のレートのそれぞれはシステムによってサポートされるレートのセットのなかから選択されるコントローラ；
複数のデータシンボルストリームを得るために複数のレートに従って複数のデータストリームを符号化及び変調するように動作する送信データプロセッサ；そして
複数のアンテナからの送信に対して複数の送信シンボルストリームを得るために空間多重化モードに従って複数のデータシンボルストリームを空間的に処理するように動作する送信空間プロセッサ。
【請求項３６】
無線の複数入力複数出力（ＭＩＭＯ）通信システムにおけるデータを受信する方法であって、以下を具備する方法：
データ送信に使用するステアード空間多重化モード及び少なくとも１つのレートを示している情報を受信することであって、ステアード空間多重化モードはシステムによってサポートされるそのうちの１つは少なくとも２つの端末のためのステアード空間多重化モードである複数の空間多重化モードのなかから選択され、少なくとも１つのレートのそれぞれはシステムによってサポートされるレートのセットのなかから選択される受信すること；
少なくとも１つの復元されたデータシンボルストリームを得るためにステアード空間多重化モードに従って少なくとも１つの受信されたシンボルストリームを空間的に処理すること；そして
少なくとも１つの復号されたデータストリームを得るために少なくとも１つのレートに従って少なくとも１つの復元されたデータシンボルストリームを復調及び復号すること。
【請求項３７】
前記複数の空間多重化モードの１つは非ステアード空間多重化モードである請求項３６記載の方法。
【請求項３８】
複数の復元されたデータシンボルストリームを得るために、チャネル相関行列反転（ＣＣＭＩ）技術、最小平均二乗誤差（ＭＭＳＥ）技術、或いは連続干渉除去（ＳＩＣ）技術に基づいて複数の受信されたシンボルストリームが空間的に処理される請求項３７記載の方法。
【請求項３９】
１つの復元されたデータシンボルストリームを得るためにチャネル利得の推定値で１つの受信されたシンボルストリームが処理される請求項３７記載の方法。
【請求項４０】
無線の複数入力複数出力（ＭＩＭＯ）通信システムにおける装置であって、以下を具備する装置：
データ送信に使用するステアード空間多重化モード及び少なくとも１つのレートを示している情報を受信するように動作するコントローラであって、ステアード空間多重化モードはシステムによってサポートされるそのうちの１つは少なくとも２つの端末のためのステアード空間多重化モードである複数の空間多重化モードのなかから選択され、少なくとも１つのレートのそれぞれはシステムによってサポートされるレートのセットのなかから選択されるコントローラ；
少なくとも１つの復元されたデータシンボルストリームを得るためにステアード空間多重化モードに従って少なくとも１つの受信されたシンボルストリームを空間的に処理するように動作する受信空間プロセッサ；そして
少なくとも１つの復号されたデータストリームを得るために少なくとも１つのレートに従って少なくとも１つの復元されたデータシンボルストリームを復調及び復号するように動作する受信データプロセッサ。
【請求項４１】
無線の複数入力複数出力（ＭＩＭＯ）通信システムにおけるデータを受信するための装置であって、以下を具備する装置：
データ送信に使用するステアード空間多重化モード及び少なくとも１つのレートを示している情報を受信するための手段であって、ステアード空間多重化モードはシステムによってサポートされるそのうちの１つは少なくとも２つの端末のためのステアード空間多重化モードである複数の空間多重化モードのなかから選択され、少なくとも１つのレートのそれぞれはシステムによってサポートされるレートのセットのなかから選択される手段；
少なくとも１つの復元されたデータシンボルストリームを得るためにステアード空間多重化モードに従って少なくとも１つの受信されたシンボルストリームを空間的に処理するための手段；そして
少なくとも１つの復号されたデータストリームを得るために少なくとも１つのレートに従って少なくとも１つの復元されたデータシンボルストリームを復調及び復号するための手段。
【請求項４２】
前記複数の空間多重化モードの１つは非ステアード空間多重化モードである請求項４１記載の装置。
【請求項４３】
前記空間的に処理するための手段は、複数の復元されたデータシンボルストリームを得るために、チャネル相関行列反転（ＣＣＭＩ）技術、最小平均二乗誤差（ＭＭＳＥ）技術、或いは連続干渉除去（ＳＩＣ）技術に基づいて空間的に処理するための手段を含む請求項４１記載の装置。
【請求項４４】
前記復調及び復号するための手段は、１つの復元されたデータシンボルストリームを得るためにチャネル利得の推定値で少なくとも１つの受信されたシンボルストリームを処理するための手段を含む請求項４１記載の装置。